(57)【特許請求の範囲】
【請求項１】
デフォーカス値を検出する焦点検出手段と、
前記焦点検出手段により検出された第１のデフォーカス値に基づくフォーカス位置の調節に用いる補正値を、ユーザーの操作により設定する第１の手法により取得する第１の取得手段と、
前記第１のデフォーカス値に基づくフォーカス位置の調節に用いる第２のデフォーカス値を取得し、該第２のデフォーカス値を、前記第１の手法により設定可能な前記補正値の最小単位に基づいて、前記第１の手法における補正値の単位に換算する第２の手法により、前記第１のデフォーカス値に基づくフォーカス位置の調節に用いる補正値を取得する第２の取得手段と、
前記第１の取得手段により取得した補正値と前記第２の取得手段により取得した補正値との少なくともいずれかを記憶する記憶手段と、
前記第１のデフォーカス値と前記記憶手段に記憶された補正値とに基づく位置に、フォーカス位置を移動するように制御する制御手段と
を有することを特徴とする焦点検出装置。
【請求項２】
前記第２の手法では、異なる複数の位置にフォーカス位置を移動させ、それぞれのフォーカス位置で撮影を行うと共に、前記焦点検出手段にデフォーカス値を検出させ、得られた複数の画像のうちの選択された画像に対応するデフォーカス値を前記第２のデフォーカス値として取得することを特徴とする請求項１に記載の焦点検出装置。
【請求項３】
前記第２の手法では、画像とデフォーカス値とを対応づけて記憶しておき、記憶された複数の前記画像の少なくとも１つをユーザーに選択させ、選択された画像に対応付けて記憶されたデフォーカス値を前記第２のデフォーカス値として取得することを特徴とする請求項１または２に記載の焦点検出装置。
【請求項４】
前記第１の手法において、前記補正値をユーザーに設定させるための設定画面を表示する表示手段を更に有し、
前記設定画面に、前記記憶手段に記憶された補正値を表示することを特徴とする請求項３に記載の焦点検出装置。
【請求項５】
前記第１の取得手段または前記第２の取得手段を選択する選択手段を有し、
前記記憶手段は、前記選択手段による選択に応じて、前記第１の取得手段により取得した補正値または前記第２の取得手段により取得された補正値を記憶することを特徴とする請求項１乃至４のいずれか１項に記載の焦点検出装置。
【請求項６】
Ｆを撮影レンズの開放Ｆ値、δを許容錯乱円の直径とした場合に、前記第１の手法により設定可能な補正値の最小単位が、
（１／１６）×Ｆδ
であることを特徴とする請求項１乃至５のいずれか１項に記載の焦点検出装置。
【請求項７】
前記記憶手段に記憶された補正値は、前記第１のデフォーカス値を補正することで該デフォーカス値に基づく合焦位置を補正することを特徴とする請求項１乃至６のいずれか１項に記載の焦点検出装置。
【請求項８】
前記制御手段は、フォーカスレンズの位置を移動させるように制御することで前記フォーカス位置を移動させることを特徴とする請求項１乃至７のいずれか１項に記載の焦点検出装置。
【請求項９】
前記制御手段は、前記記憶手段に記憶された補正値に基づいてフォーカス位置の補正量を取得し、前記第１の手法により取得された補正値と、前記第２の手法により取得された補正値とは、その値が等しい場合、当該補正値に基づいて取得されるフォーカス位置の補正量も等しいことを特徴とする請求項１乃至８のいずれか１項に記載の焦点検出装置。
【請求項１０】
デフォーカス値を検出する焦点検出工程と、
前記焦点検出工程で検出された第１のデフォーカス値に基づくフォーカス位置の調節に用いる補正値を、第１の手法または前記第１の手法と異なる第２の手法により取得する取得工程と、
前記第１の手法により取得した補正値と前記第２の手法により取得した補正値との少なくともいずれかを記憶する記憶工程と、
前記第１のデフォーカス値と前記記憶手段に記憶された補正値とに基づく位置に、フォーカス位置を移動するように制御する制御工程と、を有し、
前記第１の手法では、前記第１のデフォーカス値に基づくフォーカス位置の調節に用いる補正値を、ユーザーの操作により設定し、
前記第２の手法では、前記第１のデフォーカス値に基づくフォーカス位置の調節に用いる第２のデフォーカス値を取得し、該第２のデフォーカス値を、前記第１の手法により設定可能な前記補正値の最小単位に基づいて、前記第１の手法における補正値の単位に換算することにより、前記第１のデフォーカス値に基づくフォーカス位置の調節に用いる補正値を取得する
ことを特徴とする焦点検出装置の制御方法。
【請求項１１】
焦点検出装置が備えるコンピュータに、請求項１０に記載の制御方法の各工程を実行させるためのプログラム。
【請求項１２】
請求項１１に記載のプログラムを格納したコンピュータが読み取り可能な記憶媒体。
【発明の詳細な説明】
【技術分野】
【０００１】
本発明は、焦点検出装置及びその制御方法に関し、特に、自動焦点調節が可能な焦点検出装置及びその制御方法に関するものである。
【背景技術】
【０００２】
一眼レフカメラには、交換レンズ内の撮影光学系を通った光によって形成された一対の像の位相差から撮影光学系の焦点状態（デフォーカス値）を検出する位相差検出方式による焦点検出システムが搭載されていることが多い。このような位相差検出方式では、撮影時の環境などの影響や、一眼レフカメラ及び交換レンズの製造誤差の影響により、合焦位置を正確に検出できないおそれがあるという問題がある。
【０００３】
このような問題を解消するために、特許文献１は、使用者が自動焦点調節機能（ＡＦ）の調整値を任意に微調節する機能（ＡＦマイクロアジャストメント）を有する撮像装置を開示している。
【０００４】
また、特許文献２には、画像に撮影レンズのデフォーカス量を関連付けておき、ユーザーがピントが合っていると判断した画像に関連付けられたピント位置変位量を基にＡＦ補正値を自動的に算出する機能を有する撮像装置が開示されている。
【先行技術文献】
【特許文献】
【０００５】
【特許文献１】特開２００５−２２７６３９号公報
【特許文献２】特開２００５−１０９６２１号公報
【発明の概要】
【発明が解決しようとする課題】
【０００６】
特許文献１に開示された従来技術では、使用者が微調節した結果が正しいかどうかを確認するためには撮影と確認の作業を繰り返す必要があるという課題があった。
【０００７】
また、特許文献１におけるＡＦマイクロアジャストメントの調整値と、特許文献２におけるデフォーカス量は異なる値を表しているため、撮像装置において、上記異なる２つの機能を相互に利用することができないという課題があった。
【０００８】
本発明は上記問題点を鑑みてなされたものであり、異なる手法により自動焦点調節機能の調整値を求めることが可能な撮像装置において、自動焦点調節機能の利便性を高めることを目的とする。
【課題を解決するための手段】
【０００９】
上記目的を達成するために、本発明の焦点検出装置は、デフォーカス値を検出する焦点検出手段と、前記焦点検出手段により検出された第１のデフォーカス値に基づくフォーカス位置の調節に用いる補正値を、ユーザーの操作により設定する第１の手法により取得する第１の取得手段と、前記第１のデフォーカス値に基づくフォーカス位置の調節に用いる第２のデフォーカス値を取得し、該第２のデフォーカス値を、前記第１の手法により設定可能な前記補正値の最小単位に基づいて、前記第１の手法における補正値の単位に換算する第２の手法により、前記第１のデフォーカス値に基づくフォーカス位置の調節に用いる補正値を取得する第２の取得手段と、前記第１の取得手段により取得した補正値と前記第２の取得手段により取得した補正値との少なくともいずれかを記憶する記憶手段と、前記第１のデフォーカス値と前記記憶手段に記憶された補正値とに基づく位置に、フォーカス位置を移動するように制御する制御手段とを有する。
【発明の効果】
【００１０】
本発明によれば、異なる手法により自動焦点調節機能の調整値を求めることが可能な撮像装置において、自動焦点調節機能の利便性を高めることができる。
【図面の簡単な説明】
【００１１】
【図１】本発明の実施形態における撮像装置の概略構成を示すブロック図。
【図２】実施形態におけるＡＦ補正値設定処理を示すフローチャート。
【図３】実施形態におけるＡＦマイクロアジャストメントで用いる補正値設定画面の一例を示す図。
【図４】実施形態におけるＭＡＳを利用したＡＦ補正値を表示する画面を示した図
【図５】実施形態におけるＭＡＳを利用した補正値設定処理を示すフローチャート。
【発明を実施するための形態】
【００１２】
以下、添付図面を参照して本発明を実施するための形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１３】
以下、本発明にかかる第１の実施形態について説明する。図１は第１の実施形態における撮像装置の概略構成を示すブロック図である。図１に示すように、撮像装置２００には、撮影レンズ１００が不図示のマウント部のレンズ装着機構を介して着脱可能に取り付けられる。マウント部には、電気接点ユニット１０４が設けられている。撮像装置２００は、電気接点ユニット１０４を介して撮影レンズ１００と通信を行い、撮影レンズ１００内のフォーカスレンズ１０１を制御する。なお、図１では、撮影レンズ１００内のレンズとしてフォーカスレンズ１０１のみを示しているが、この他に変倍レンズや固定レンズ等の複数のレンズが、通常設けられている。
【００１４】
不図示の被写体からの光束は、撮影レンズ１００内のフォーカスレンズ１０１を介して、撮像装置２００内のメインミラー２０１に導かれる。メインミラー２０１は、撮影光路内に光軸に対して斜めに配置され、被写体からの光束を上方のファインダ光学系に導く第１の位置（図示した位置）と、撮影光路外に退避する第２の位置とに移動が可能である。また、メインミラー２０１の中央部はハーフミラーになっており、メインミラー２０１が第１の位置にミラーダウンしているときには、被写体からの光束の一部がハーフミラー部を透過する。そして、この透過した光束は、メインミラー２０１の背面側に設けられたサブミラー２０２で反射し、焦点検出部２０７に導かれる。
【００１５】
一方、メインミラー２０１で反射された光束は、撮像素子２０９と光学的に共役な位置に配置されたピント板２０３上に結像する。ピント板２０３にて拡散されてこれを透過した光（被写体像）は、ペンタダハプリズム２０４によって正立像に変換される。正立像は、接眼レンズ２０５によって拡大され、ユーザーはこれを観察することができる。
【００１６】
また、メインミラー２０１が第２の位置にミラーアップした際には、サブミラー２０２もメインミラー２０１と共に折り畳まれて撮影光路外に退避する。これにより、撮影レンズ１００からの光束は、メカシャッタであるフォーカルプレーンシャッタ２０８を通過し、撮像素子２０９に至る。フォーカルプレーンシャッタ２０８は、撮像素子２０９に入射する光量を制限する。撮像素子２０９は、撮影レンズ１００により形成された被写体像を光電変換して電気信号を出力する、ＣＣＤセンサやＣＭＯＳセンサ等の光電変換素子等を含んで構成される。
【００１７】
２１０はカメラにおける各種演算や各種動作の制御を行うコントローラとしてのカメラＣＰＵである。ＣＰＵ２１０は、撮像装置２００の全体の制御を司り、後述する各回路等の動作を制御する。ＣＰＵ２１０は、電気接点ユニット１０４を介して、撮影レンズ１００内のレンズ制御回路１０３と通信を行う。レンズ制御回路１０３は、ＣＰＵ２１０からの制御信号に応じて、フォーカスレンズ１０１を光軸方向に駆動して焦点調節を行うレンズ駆動機構１０２を制御する。レンズ駆動機構１０２は、ステッピングモータを駆動源として有する。
【００１８】
また、ＣＰＵ２１０には、ＥＥＰＲＯＭ２１１も接続されている。ＥＥＰＲＯＭ２１１には、撮像装置２００を制御する上で調整が必要なパラメータや、撮像装置２００の個体識別を行うための固有の情報であるカメラＩＤ（識別）情報が記憶されている。更に、基準レンズ（撮像装置の工場での調整時に用いられる撮影レンズ）を用いて調整された、撮影に関するパラメータの調整値等も記憶されている。
【００１９】
表示部２１２は、撮像素子２０９により撮像された画像データを表示したり、ユーザーが設定する項目を表示したりするための装置であり、一般にはカラーの液晶表示素子により構成される。
【００２０】
さらに、ＣＰＵ２１０には、ユーザーによる撮像装置２００への操作を検出する操作検出部２１３と、カウンター２１４とが接続されている。具体的には、操作検出部２１３は、不図示のレリーズボタンや、選択ボタン、後述するブラケット撮影により得られた複数の画像の中から１つを選択させるボタンなどの操作を検出する。カウンター２１４は、ブラケット撮影を行う際の撮影回数をカウントするためのカウンターである。カウンター２１４のカウンタ値のリセットはＣＰＵ２１０により行われる。
【００２１】
一方、撮影レンズ１００のレンズ制御回路１０３には、撮影レンズ１００の焦点距離や開放絞り値等の性能情報、撮影レンズ１００を識別するための固有の情報であるレンズＩＤ（識別）情報を記憶するメモリ（不図示）が設けられている。メモリは、ＣＰＵ２１０から通信により受け取った情報も記憶する。なお、性能情報及びレンズＩＤ情報は、撮像装置２００への装着時における初期通信により、ＣＰＵ２１０に送信され、ＣＰＵ２１０はこれらをＥＥＰＲＯＭ２１１に記憶させる。
【００２２】
図２は本実施形態におけるＡＦ補正値設定処理を示すフローチャートである。本実施形態では、ユーザーがＡＦ補正値を任意に設定するＡＦマイクロアジャストメントを行う第１の補正モードと、マイクロアジャストメントサポート（ＭＡＳ）を利用してＡＦ補正値を求める第２の補正モードのいずれかを選択可能とする。なお、ＡＦマイクロアジャストメント（第１の手法）及びＭＡＳを利用した処理（第２の手法）の詳細については後述する。
【００２３】
まず、Ｓ１において、第１の補正モードを選択したかどうかを判別する。第１の補正モードが選択されていればＳ５に移り、第１の補正モードが選択されていなければＳ２に移る。Ｓ５において、ＡＦマイクロアジャストメントを行うための補正値設定画面を表示部２１２に表示する。図３は、補正値設定画面の一例を示す図である。
【００２４】
ＡＦマイクロアジャストメントは、ユーザーが撮影した画像をもとに、焦点検出部２０７により検出されたデフォーカス値に基づく合焦位置から、実際の合焦位置までのずれ量とその方向を判断して、ユーザーが直接、ＡＦ補正値を設定する処理である。図３に示すように、本実施形態におけるＡＦマイクロアジャストメントでは、ユーザーがＡＦ補正値を±２０目盛の範囲で１目盛刻みで任意に設定することが可能であり、設定されたＡＦ補正値分、デフォーカス値に基づく合焦位置をシフトさせることができる。ＡＦ補正値の１目盛あたりのピント補正量は、本実施形態では（１／１６）×Ｆδ（Ｆ：撮影レンズの開放Ｆ値、δ：許容錯乱円の直径）とする。しかしながら、本発明はこれに限られるものではなく、撮影レンズ１００や撮像装置２００の性能に応じて適宜変更することができる。図３中、０は撮像装置２００が工場出荷時に設定された基準位置である。図３に示す補正値設定画面において、黒塗り三角表示はＥＥＰＲＯＭ２１１に格納されているＡＦ補正値を表しており、ユーザーが黒塗り三角表示を目盛に沿って移動するように操作することで、ＡＦ補正値を変更することができる。補正値設定画面が表示されるとＳ６へ移る。
【００２５】
Ｓ６では、ユーザーにより、補正値設定画面を用いてＡＦ補正値を変更する操作がなされたかどうかの判定を行う。ＡＦ補正値を更新する操作がなされた場合はＳ７へ進み、ＡＦ補正値を更新する操作がなされていなければＳ８へ移る。
【００２６】
Ｓ７では、ユーザーの操作に応じて、補正値設定画面の表示を更新する。ここでは、図３に示す補正値設定画面において、ユーザーの操作に応じた位置に黒塗り三角表示を表示する。
【００２７】
Ｓ８ではユーザーがＡＦ補正値を決定したかどうかを判定する。ここでは、図３に示す補正値設定画面において、「設定」ボタンが選択されたかどうかを判定する。「設定」ボタンが選択されていなければ、Ｓ６へ戻って上記処理を繰り返す。一方、「設定」ボタンが選択され、ＡＦ補正値が決定するとＳ９へ進み、補正値設定画面の表示を終了し、Ｓ１０へ移る。
【００２８】
Ｓ１０では、第１の補正モードが選択された時点でＥＥＰＲＯＭ２１１に記憶されていたＡＦ補正値と、Ｓ６からＳ８の処理により新たに設定されたＡＦ補正値とが異なるかどうかを判定する。異なる場合、Ｓ４へ進んでＡＦ補正値を更新し、変更されていなければＡＦ補正値設定処理を終了する。
【００２９】
図４は、表示部２１２に格納されたＡＦ補正値を表示する画面を示した図である。この目盛は第１の補正モードにおけるＡＦマイクロアジャストメント機能と、第２の補正モードのＭＡＳで共通のものを用い、ＭＡＳで格納した値をＡＦマイクロアジャストメント機能を用いてユーザーが変更することができる。
【００３０】
一方、Ｓ１で第１の補正モードが選択されていなければ、Ｓ２において第２の補正モードでＭＡＳを利用したＡＦ補正値の算出を行う。ＭＡＳを利用する第２の補正モードでは、フォーカスレンズ１０１の位置を微小量駆動しながら複数の画像を撮影し、得られた画像の中からユーザーが最も合焦していると判断した画像を選択し、その画像のデフォーカス値に基づいてＡＦ補正値を求める。なお、Ｓ２で行われる処理の詳細については後述する。ＡＦ補正値が算出されると、Ｓ３に移る。
【００３１】
Ｓ３では、ＥＥＰＲＯＭ２１１に記憶されていたＡＦ補正値を、Ｓ２で算出したＡＦ補正値に更新するかどうかの判定を行う。ここでは例えば、所定の操作により、算出したＡＦ補正値の設定が選択された場合等、ＡＦ補正値を更新する場合はＳ４へ移り、所定の操作により、ＡＦ補正値の設定処理がキャンセルされた場合等、更新しない場合はＡＦ補正値の設定処理を終了する。
【００３２】
Ｓ４では、Ｓ２またはＳ６からＳ１０の処理で得られたＡＦ補正値をＥＥＰＲＯＭ２１１に記憶することでＡＦ補正値を更新し、ＡＦ補正値の設定処理を終了する。
【００３３】
上述したようにして、ＥＥＰＲＯＭ２１１に記憶されたＡＦ補正値は、下記の式（１）によって、焦点検出部２０７が検出するデフォーカス値（焦点検出結果）に基づくＡＦ時のレンズ駆動量の補正に用いる。
レンズ駆動量＝デフォーカス値＋調整値＋ＡＦ補正値      …（１）
なお、上記式（１）において、調整値は製造時のデフォーカス値調整データを表している。
【００３４】
次に、Ｓ２で行われる第２の補正モードにおけるＭＡＳを利用したＡＦ補正値の設定処理について、図５のフローチャートを参照して説明する。
【００３５】
まず、Ｓ１０１において、表示部２１２にフォーカスブラケット撮影調整用画面を表示する。表示される内容は、例えばユーザーへの操作指示等である。調整用画面が表示されると、Ｓ１０２に移る。Ｓ１０２では、焦点検出部２０７が撮影レンズ１００のＡＦ補正値の算出に用いる被写体に対するデフォーカス値を検出する。デフォーカス値の検出が終了するとＳ１０３へ移り、検出したデフォーカス値に応じたレンズ位置（合焦位置）へ、フォーカスレンズ１０１を駆動する。フォーカスレンズ１０１の駆動が終了すると、Ｓ１０４へ移る。
【００３６】
Ｓ１０４では、Ｓ１０２でデフォーカス値の検出に用いた被写体がＡＦ補正値の算出に適合した被写体かどうかの判定を行う。ここでは、例えば、焦点検出部２０７は焦点検出部２０７内に具備された不図示の焦点検出センサで受光した信号に基づいて被写体のＡＦ信頼性評価値を算出する。これは、焦点検出部２０７の焦点検出精度が、被写体が暗い時やコントラストが低い時などに低下することがあるためで、このような焦点検出精度が低下するような場合にＡＦ信頼性評価値が低い値となるようにする。そして、求めたＡＦ信頼性評価値に基づいて、適合被写体かどうかを判定する。適合被写体の場合はＳ１０５へ、適合被写体で無い場合はＳ１１７へ進む。
【００３７】
適合被写体でなかった場合、Ｓ１１７では、エラーメッセージ（エラー発生の事実及びエラーの推定原因）を表示部２１２に表示する。表示が完了するとＳ１１８へ移り、ユーザーから、調整をやり直すか中止するかの指示を受け付ける。やり直す場合はＳ１０２に戻り、中止する場合はＳ１１６へ移る。
【００３８】
Ｓ１０５では、フォーカスブラケット開始位置へレンズを駆動する。撮影毎のレンズの駆動幅をｓ、撮影枚数をｍとしたときのフォーカスブラケット開始位置は、デフォーカス値に基づいて算出された合焦位置から（ｍ−１）×ｓ／２だけ至近側となる。Ｓ１０６ではカウンター２１４のカウンタ値ｎのリセットを行う。このカウンタ値ｎはフォーカスブラケットの撮影枚数と対応付けられるものであり、フォーカスブラケット撮影開始前に０にした後、Ｓ１０７へ移る。
【００３９】
Ｓ１０７では焦点検出部２０７がデフォーカス値の検出を行う。ここで検出されたデフォーカス値は最終的にＳ１０９で撮影される画像と対応づけて記憶される。デフォーカス値の検出が終了するとＳ１０８へ移る。
【００４０】
Ｓ１０８では、Ｓ１０９の撮影に先立ち、メインミラー２０１とサブミラー２０２が撮影光路から退避して第２の位置へ移動するミラーアップを行う。ミラーアップが終了するとＳ１０９へ移る。Ｓ１０９では、撮影を行い、得られた画像をＳ１０７で検出されたデフォーカス値と対応づけて記憶する。撮影が終わるとＳ１１０へ移り、メインミラー２０１とサブミラー２０２を上述した撮影光路内の第１の位置へ移動するミラーダウンを行う。ミラーダウンが終了するとＳ１１１へ移る。
【００４１】
Ｓ１１１では、撮影枚数を示すカウンタ値ｎのカウントアップを行って、Ｓ１１２へ移る。Ｓ１１２では、カウンタ値ｎの値が撮影枚数ｍに達したかの判定を行う。カウンタ値ｎが撮影枚数ｍに達していない場合はＳ１１３へ、達した場合はＳ１１４へ移る。Ｓ１１３ではレンズ駆動幅ｓだけフォーカスレンズ１０１を無限側へ駆動し、レンズの駆動が終わるとＳ１０７へ移る。Ｓ１０７からＳ１１３を繰り返すことで、レンズ駆動幅ｓずつ焦点状態が異なる画像を連続してｍ枚撮影する。なお、上述した例では、至近側にフォーカスレンズ１０１を駆動してから、無限側へ駆動しながらフォーカスブラケット撮影を行う場合について説明したが、無限側にフォーカスレンズを駆動してから、至近側に駆動しながらフォーカスブラケット撮影を行っても構わない。
【００４２】
Ｓ１１４では、レンズ駆動幅ｓずつ焦点状態が異なるｍ枚の画像から、ピントが最も合っているように見える、ベストピントの画像１枚をユーザーが選択する。
【００４３】
このとき、フォーカスブラケット撮影で得られた複数枚の画像を表示部２１２に表示するが、表示する画像の枚数は１枚ずつでもよいし、複数枚並べて表示してもよい。このとき、表示される画像は焦点状態をわかりやすくするために、通常とは異なる画像処理を施した画像としてもよい。例えば、通常の撮影画像を表示するときには見栄えをよくするためにエッジを強調する処理を施したりするが、Ｓ１１４における画像表示では、エッジ強調処理は行わない。ユーザーは表示部２１２に表示された画像を確認しながら不図示の操作部材を操作し、最も合焦状態にある画像を選択し、決定する。また、複数枚の画像のうち合焦状態にある画像がどれかの判別がつきにくいときには、複数の画像を選択するようにしてもよい。例えば、合焦状態がフォーカスブラケット撮影で得られた２枚の画像の間にあるとユーザーが判断した時には、２枚の画像を選択することができる。
【００４４】
また、Ｓ１１４では必ずしも画像を選択する必要はなく、ベストピントの画像が選択困難な場合等、画像が所定時間選択されなかったり、所定の操作によりＡＦ補正値の設定処理がキャンセルされた場合等には、Ｓ１１６へ移る。一方、ベストピントの１枚が選択された場合はＳ１１５へ移る。
【００４５】
Ｓ１１５では、Ｓ１１４でユーザーが選択した画像に対応づけられているデフォーカス値を、第１の補正モードにおいてＡＦマイクロアジャストメントにおけるＡＦ補正値の単位に換算する。なお、Ｓ１１４で選択された画像が複数あるときには、選択された画像に関連づけられたデフォーカス値の平均値を、ＡＦ補正値の単位に換算する。ここでは、画像に対応付けられたデフォーカス値を、図３に示す１目盛に相当する（１／１６）×Ｆδで割ることで、ＡＦマイクロアジャストメントにおける単位に換算することで、ＡＦ補正値を算出することができる。ＡＦ補正値の算出が完了すると、Ｓ１１６へ移る。Ｓ１１６でフォーカスブラケット撮影調整用画面の表示を終了し、第２の補正モードによる補正値算出は終了する。
【００４６】
なお、上述した例では、第２の補正モードにおいてはＭＡＳを利用し、フォーカスブラケット撮影で得られたＡＦ補正値算出用画像群からユーザーが１枚の画像を選び、その画像に関連付けられたデフォーカス値からＡＦ補正値を算出するものとして説明した。しかしながら、本発明はこれに限るものではなく、ＡＦ補正値の算出のためにフォーカスブラケット撮影を行わなくてもよい。例えば、デフォーカス値と画像が対応付けられた時間的に不連続な複数枚の画像をＡＦ補正値算出用画像とし、ユーザーがその中から１枚を選び、選ばれた画像に対応付けられたデフォーカス値からＡＦ補正値を算出してもよい。
【００４７】
上記の通り本実施形態によれば、ＡＦマイクロアジャストメントで決定するＡＦ補正値とＭＡＳにより決定するＡＦ補正値を同一単位で扱うことが可能となり、ＭＡＳで決定されたＡＦ補正値をＡＦマイクロアジャストメントで変更することが容易になる。これにより、高精度且つ使い勝手の良い自動焦点調節機能を提供することができる。
【００４８】
なお、上述した実施形態では、第２の補正モードにおいて、至近側にフォーカスレンズ１０１を駆動してから、無限側へ駆動しながらフォーカスブラケット撮影を行う場合について説明したが、本発明はこれに限るものではない。無限側にフォーカスレンズを駆動してから、至近側に駆動しながらフォーカスブラケット撮影を行っても構わない。
【００４９】
以上、本発明の好ましい実施形態について説明したが、本発明はこれらの実施形態に限定されず、その要旨の範囲内で種々の変形及び変更が可能である。
【００５０】
また、本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５１】
１００：撮影レンズ、１０１：フォーカスレンズ、２０７：焦点検出部、２０９：撮像素子、２１０：ＣＰＵ、２１１：ＥＥＰＲＯＭ、２１２：表示部
【図１】
0006487680.tif 000002
【図２】
0006487680.tif 000003
【図３】
0006487680.tif 000004
【図４】
0006487680.tif 000005
【図５】
0006487680.tif 000006